(57)【特許請求の範囲】
【請求項１】
手動式チェーンブロックでチェーン巻上げ動作を行う手引き作業補助具であって、支持フレームに開閉可能に軸着され、互いの先端部が接合する接合面と、チェーンのよこリンクに係合する係合面をそれぞれ有する一対の回動部材と、回動部材に固設された把手を有し、把手の開閉動作により、一対の回動部材の先端に挿通されたチェーンの手引き動作を行うことを特徴とする手引き作業補助具。
【請求項２】
支持フレームは、固定支持フレームと、一端が一方の回動部材に回動可能に軸着された可動支持フレームであって、可動支持フレームは、他方の回動部材の係止突起に係着する嵌合溝を有することを特徴とする請求項1記載の手引き作業補助具。
【請求項３】
回動部材に、回動部材の閉位置において、チェーンのたてリンクのリンク長孔に嵌入する突起を設けたことを特徴とする請求項１または２記載の手引き作業補助具。
【請求項４】
支持フレームは、回動部材を回動可能に軸着する一対の固定支持フレームであることを特徴とする請求項１または３記載の手引き作業補助具。
【請求項５】
手動式チェーンブロックのチェーン巻上げ動作を行う手引き作業補助具であって、チェーンが挿通される筒部と、筒部の両側から一方に延出する一対のフレームと、フレーム先端に設けた把手とを有し、筒部は、フレーム延出方向の逆側上部に、リンクチェーンのたてリンクが嵌入するチェーン係合溝を有することを特徴とする手引き作業補助具。
【発明の詳細な説明】
【０００１】
【発明の属する技術分野】
本発明は、手動式チェーンブロックにおける手引き作業補助具に関する。
【０００２】
【従来の技術】
従来、手動式チェーンブロックは、作業者が直接ハンドチェーンを握り手引き作業を行っており、重量物の昇降操作を行う場合は、手引き力が大きく、軍手をして作業するなど、作業者に大きな肉体的負担を与えていた。そのため、作業者の負担を軽減するものとして、実公平７−１１１０７号に示されているように、手動式チェーンブロックのハンドチェーンの中間を巻掛けるホイルと、該ホイルを回転させる電動モータを備え、ハンドチェーンを電動で引降し操作をする手動式チェーンブロックが開発されている。しかし、この手動式チェーンブロックは、電動モータを用いるため、高コストとなるという課題を有していた。
【０００３】
【発明が解決しようとする課題】
本発明は、電動モータを用いず、手引き作業時における作業者の肉体的負担を軽減することができる手引き作業補助具を提供することを目的とする。
【０００４】
【課題を解決するための手段】
本発明は、上記した目的を達成するもので、手動式チェーンブロックでチェーン巻上げ動作を行う手引き作業補助具であって、支持フレームに開閉可能に軸着され、互いの先端部が接合する接合面と、チェーンのよこリンクに係合する係合面をそれぞれ有する一対の回動部材と、回動部材に固設された把手を有し、把手の開閉動作により、一対の回動部材の先端に挿通されたチェーンの手引き動作を行うことを特徴とする手引き作業補助具である。
【０００５】
本発明の手引き作業補助具は、回動部材を中央部分で分割可能とし、開閉動作をすることによって、手引き時には、チェーンを回動部材で挟み込み、チェーンを補助具に固定するので、作業者は、把手を水平にした状態でチェーンを引く方向と直角方向に把手を握り、手引き作用を行えるので、力が伝達し易く、作業者の肉体的負担を軽減することができ、また、補助具を持ち上げる時には、把手（回動部材）を上方に折り曲げて、チェーンの係合を開放することにより、自由に上方移動することができる手引き作業補助具を提供することができる。
【０００６】
【発明の実施の形態】
本発明の請求項１に記載の発明は、手動式チェーンブロックのチェーン巻上げ動作を行う手引き作業補助具であって、支持フレームに開閉可能に軸着され、互いの先端部が接合する接合面と、チェーンのよこリンクに係合する係合面をそれぞれ有する一対の回動部材と、回動部材に固設された把手を有し、把手の開閉動作により、一対の回動部材の先端に挿通されたチェーンの手引き動作を行うことを特徴とするもので、回動部材は、中央で分割され、開閉可能とし、手引き動作時には、チェーンのよこリンクの肩部を係合面で係合し、チェーンを回動部材で挟み込んで、チェーンを補助具に固定するため、作業者は、把手を水平にした状態で手引き作用を行えるので、力が伝達し易く、作業者の肉体的負担を軽減することができ、また、補助具を持ち上げる時には、把手または回動部材を上方に折り曲げて、チェーンの係合を開放することにより、自由に上方移動ができる手引き補助具を提供できる作用を有する。
【０００７】
請求項２に記載の発明は、支持フレームは、固定支持フレームと、一端が一方の回動部材に回動可能に軸着された可動支持フレームであって、可動支持フレームは、他方の回動部材の係止突起に係着する嵌合溝を有することを特徴とするもので、可動支持フレームを簡単に開放することができるので、手引き作業補助具にチェーンを容易に着脱できる作用を有する。
【０００８】
請求項３に記載の発明は、回動部材に、回動部材の閉位置において、チェーンのたてリンクのリンク長孔に嵌入する突起を設けたことを特徴とするもので、回動部材の端部の突起をたてリンクに挿入できるようにしたので、よこリンクの係合面を回動部材のたてリンクの挿入方向に深く設けることができるため、手引き動作における力の伝達を確実に行うことができるとともに、係合面の強度強化を図ることができる作用を有する。
【０００９】
請求項４に記載の発明は、支持フレームは、回動部材を回動可能に軸着する一対の固定支持フレームであることを特徴とするもので、請求項１に記載の発明と同じ作用を有する。
【００１０】
請求項５に記載の発明は、手動式チェーンブロックのチェーン巻上げ動作を行う手引き作業補助具であって、チェーンが挿通される筒部と、筒部の両側から一方に延出する一対のフレームと、フレーム先端に設けた把手とを有し、筒部は、フレーム延出方向の逆側上部に、リンクチェーンのたてリンクが嵌入するチェーン係合溝を有することを特徴とするもので、簡単な構造で、かつ、把手の開閉動作を行うことを必要とせず、手引き作業を行うことができる手引き補助具を提供できる作用を有する。
【００１１】
以下、本発明の実施の形態について説明する。
【００１２】
【実施の形態１】
図１（ａ）（ｂ）は、本発明の一実施の形態の手動式チェーンブロックにおける作業補助具がチェーンに保着する状態を示す正面図、図２は、その正面図、図３は、その平面図、図４は、可動支持フレームを示す正面図である。
【００１３】
図において、１は固定支持フレーム３ａに回動可能に軸着された左右一対の回動部材に固着される把手、２は把手１の先端に固設され、固定支持フレームにボルト、ナットにより軸着され、開閉動作をする回動部材で、回動部材２の先端には、回動部材の閉位置において、チェーンのたてリンクに嵌入する先端突起２ａ、回動部材２の閉位置において、左右の回動部材２の先端が接合して、閉動作のストッパとして作用する接合面２ｂ、さらに、回動部材２の閉位置において、リンクチェーンのよこリンクの肩部と同一の曲率半径を有し、よこリンクの肩部と係合するチェーン係合面２ｃを有している。先端突起２ａをチェーン１０のたてリンク１０ｂのリンク長孔に嵌入するようにしたので、回動部材２のよこリンク１０ｃの肩部１０ａと係合する係合面２ｃを回動部材２のたてリンク１０ｂの挿入方向に深く設けることができるため、手引き作業時における力の伝達を確実に行うことが可能であるとともに、係合面２ｃの強度強化を図ることができる。３は支持フレームで、回動部材２をボルト、ナットで軸着する固定支持フレーム３ａと、一端が一方の回動部材２にボルト、ナットにより軸着され、他端の自由端が、他方の回動部材２のボルト５に係止するボルト嵌合溝４を有する可動支持フレーム３ｂから形成される。ボルト嵌合溝４がボルト５の頭部から脱離しないように、可動支持フレーム３ｂにストッパー片６がネジ７により回動可能に螺着され、ストッパー片６はバネ８により、ボルト嵌合溝４を塞ぐ方向に付勢されている。
【００１４】
次に、本実施の形態による手引き作業補助具のチェーン装着及び手引き作業動作について説明する。
【００１５】
まず、把手１を開き、図１（ａ）に示す状態で、補助具中央にチェーン１０を挿通し、可動フレーム３ｂを回動して、ボルト嵌合溝４をボルト５頭部に嵌合し、ストッパー片６を回動して、ボルト嵌合溝４の開口部を狭めて、可動支持フレーム３ｂのボルト嵌合溝４を他方の回動部材２のボルト５に係着する。
【００１６】
次に、図１（ｂ）に示すように、補助具の固定支持フレーム３ａと可動支持フレーム３ｂ間にチェーン１０を挿通した状態から、把手１をボルト５を中心に下方に向けてそれぞれの回動部材２の接合面２ｂが接合するまで回動する。この回動動作により、左右の把手１は略水平状態となり、回動部材２の先端突起２ａがたてリンク１０ｂのリンク長孔に嵌入し、把手１を人手により下方に押し下げて、チェーン１０の手引き動作を行う。この動作時に、回動部材２の先端突起２ａがチェーンのたてリンク１０ｂのリンク長孔に嵌入し、回動部材２のチェーン係合面２ｃは、チェーン１０のよこリンク１０ｃの肩部円弧の曲率半径と同一の曲率半径を有しているので、チェーン１０のよこリンク１０ｃの肩部１０ａと密接し、肩部全面と接合して係合するため、把手１の手引き力は確実にチェーンに伝達され、安定した手引き動作を行うことができる。
【００１７】
次に、把手１を図１（ｂ）に示す状態に開いて折り曲げ、回動部材２の先端突起２ａのたてリンク１０ｂのリンク長孔との係着及びチェーン係合面２ｃとチェーン肩部１０ａとの係合を解除し、補助具をチェーン１０に沿って上方に押し上げ、補助具が一定位置に上昇すると、把手１をボルト５を中心に図２に示す閉位置に回動し、回動部材２の接合面が接合する位置、すなわち閉位置に把手１を押し下げ、再び手引き動作を行う。この動作を繰り返すことにより、チェーンの巻き取り動作を行う。
【００１８】
次に、補助具をチェーン１から取り外す動作について説明する。まず、把手１を図１（ｂ）に示す位置に折り曲げて、ストッパー片６をバネ８に抗して、可動支持フレーム３ｂのボルト嵌合溝４がボルト５との係合を解除できる位置まで回動し、次に、可動支持フレーム３ｂを図１（ａ）に示す位置に回動して、補助具をチェーン１０から取り外す。
【００１９】
本実施の形態によれば、回動部材２を中央で分割し、開閉可能とし、手引き動作時には、把手１を水平にして、チェーン１０のよこリンク１０ｃの肩部１０ａを係合面２ｃで係合して、チェーン１０を挟み込んで、手引き作用を行うので、力が伝達し易く、作業者の負担を軽減できる。
【００２０】
【実施の形態２】
図５、図６は、本発明の実施の形態２を示し、実施の形態２との相違点は、実施の形態１では、可動支持フレームを用いているが、本実施の形態においては、支持フレーム３を一対の固定支持フレーム３ａとしたものである。補助具をチェーン１０に取り付ける場合は、把手１を図５に示すように折り曲げ、一方のボルト５とナットの係合を解き、固定支持フレーム３ａを開いて、補助具の回動部材間にチェーン１０を挿通し、次に、固定支持フレーム３ａをボルト５により回動部材２に固定して、補助具をチェーン１０に取り付ける。手引き動作は実施の形態１と同じである。
【００２１】
【実施の形態３】
図７〜図１０は、本発明の実施の形態３を示す。図において、１１は把手、１２はチェーンが挿通される筒部、１３は筒部１２の両側から一方に延出する一対のフレーム、１４は筒部１２のフレーム延出方向の逆側中央の筒部上部にリンクチェーン１０のたてリンク１０ｂが嵌入するチェーン係合溝、１５は筒部１２の開口部である。把手１１はフレームの延出端部に設けられる。次に、本実施の形態による手引き作業補助具のチェーン装着及び手引き作業動作について説明する。
【００２２】
まず、チェーン１０を開口部１５から筒部１２に挿通し、補助具が手引き動作位置に達するまでチェーン１０を引き入れ、手引き動作位置に達すると把手１を人手によって持ち上げて、図１１に示すように、把手１を下方に押し下げる。チェーン１０のたてリンク１０ｂは、筒部背面上部に設けたチェーン係合溝１４に嵌入し、筒部１２の内側は、よこリンク１０ｃと係合し、前記筒部１２の内側はよこリンク１０ｃのストッパーとして作用する。把手１０をさらに押し下げると下方へ押し下げ力が筒部内側からチェーン１０に伝達され、チェーン１０の手引き動作が行われる。チェーン１０を下方に押し下げると、把手１１を図１０に示す状態に戻し、補助具を再び上方に持ち上げ、把手１１を押し下げ、手引き動作を行う。この動作を繰り返すことにより、チェーンの巻き取り動作を行う。
【００２３】
【発明の効果】
本発明の手引き作業補助具は、回動部材を中央で分割し、開閉可能とし、手引き動作時には、把手を水平にしてチェーンのよこリンクの肩部を係合面で係合し、チェーンを回動部材で挟み込んで、チェーンを補助具に固定して、手引き動作を行うため、力が伝達し易く、作業者の肉体的負担を軽減することができ、また、補助具を持ち上げる時には、把手または回動部材を上方に折り曲げて、チェーンの係合を開放することにより、容易に上方移動できる手引き補助具を提供できる効果を有す。
【００２４】
また、請求項５に記載の手引き作業補助具は、簡単な構造で、かつ、把手の開閉動作を必要とせず手引き作業を行うことができる手引き補助具を提供できる効果を有する。
【図面の簡単な説明】
【図１】（ａ）（ｂ）は、本発明の実施の形態１の手引き作業補助具の把手を折り曲げた状態を示す正面図である。
【図２】把手の水平状態を示す正面図である。
【図３】図２の平面図である。
【図４】（ａ）は、可動支持フレームを示す正面図。（ｂ）は、図４（ａ）の側面図である。
【図５】本発明の実施の形態２の手引き作業補助具の把手を折り曲げた状態を示す正面図である。
【図６】把手の水平状態を示す正面図である。
【図７】本発明の実施の形態３の手引き作業補助具を示す平面図である。
【図８】図７の正面図である。
【図９】図７の側面図である。
【図１０】手引き作業時の状態を示す側面図である。
【符号の説明】
１    把手
２    回動部材
２ａ  先端突起
２ｂ  接合面
２ｃ  チェーン係合面
３    支持フレーム
３ａ  固定支持フレーム
３ｂ  可動支持フレーム
４    ボルト嵌合溝
５    ボルト
６    ストッパー
７    ネジ
８    バネ
９    ガイド孔
１０   チェーン
１０ａ チェーン肩部
１０ｂ たてリンク
１０ｃ よこリンク
１１   把手
１２   筒部
１３   フレーム
１４   チェーン係合溝
１５   開口部
【図１】
0004039872.tif 000002
【図２】
0004039872.tif 000003
【図３】
0004039872.tif 000004
【図４】
0004039872.tif 000005
【図５】
0004039872.tif 000006
【図６】
0004039872.tif 000007
【図７】
0004039872.tif 000008
【図８】
0004039872.tif 000009
【図９】
0004039872.tif 000010
【図１０】
0004039872.tif 000011